(57)【特許請求の範囲】
【請求項１】
計器本体から突出する略円柱状の指針軸に連動して回動する指示部材と、前記指示部材が配設され前記指示部材を前記指針軸に装着するための台座部材と、前記台座部材に設けられ前記指針軸が配設される連結部と、を備え、
前記連結部は、前記指針軸の外周面と当接して前記指針軸を保持する円周部と、前記連結部の少なくとも２個所に設けられ前記指針軸を圧入保持する内壁部と、を有してなることを特徴とする計器用指針。
【請求項２】
前記内壁部は、前記連結部における前記指針軸の配設個所を部分的に前記指針軸の外径よりも狭めるように形成されてなることを特徴とする請求項１に記載の計器用指針。
【請求項３】
前記内壁部は、断面形状が前記指針軸の外径よりも小さい内接円を有する多角形の辺の少なくとも一部からなることを特徴とする請求項１または請求項２に記載の計器用指針。
【請求項４】
計器本体から突出する略円柱状の指針軸に連動して回動する指示部材と、前記指示部材が配設され前記指示部材を前記指針軸に装着するための台座部材と、前記台座部材に設けられ前記指針軸が配設される連結部と、を備えてなる計器用指針の取付方法であって、
断面形状が前記指針軸の軸径に合うように形成される円周部と、前記円周部を部分的に前記指針軸の外径よりも狭く形成してなる内壁部とを前記連結部に備え、前記指針軸を前記連結部に配設して前記指針軸の前記外周面と前記円周部とを当接させて前記指針軸を前記円周部にて保持させるとともに、前記指針軸を前記内壁部にて圧入保持させることを特徴とする計器用指針の取付方法。
【請求項５】
前記内壁部を、断面形状が前記指針軸の外径よりも小さい内接円を有する多角形の辺の少なくとも一部からなるように形成することを特徴とする請求項４に記載の計器用指針の取付方法。
【発明の詳細な説明】
【０００１】
【発明の属する技術分野】
本発明は、例えば車両用計器に用いられる計器用指針及びその取付方法に関する。
【０００２】
【従来の技術】
計器の指針軸に連結され表示板上を回動する計器用指針としては、前記指針軸と直交する方向に線状に延びる指示部材と、前記指示部材が配設される台座部材とを有し、前記台座部材に形成される連結部に前記指針軸を配設することによって前記指示部材を前記指針軸に連結する構成のものが知られている。計器本体からの動力は、前記指針軸及び前記連結部を介して前記台座部材に配設される前記指示部材に伝達されるため、前記指針軸と前記連結部とは、安定した保持力にて連結されることが望ましい。しかしながら、略円柱状の前記指針軸に対して、前記連結部も断面形状が略円状の孔部を備える場合、前記指針軸の外周面全体が前記連結部にて圧入保持されるものの、前記連結部の成型時におけるばらつきや周囲温度による前記連結部の熱膨張等によって発生する前記連結部の僅かな寸法誤差で前記指針軸の前記外周面と前記連結部にかかる圧入力にばらつきが生じ、安定した保持力が得られないという問題があった。
【０００３】
【発明が解決しようとする課題】
このような問題を解決するものとして、実開昭５４−２３７４３号公報に、円形の指針軸を嵌合すべき穴の断面形状が正多角形である連結部を備えた指針が開示されている。斯かる構成により、前記指針軸は、前記連結部の前記正多角形の辺に相当する個所にて圧入保持され、圧入保持される個所が部分的であるために多少の寸法誤差に対しても圧入力にばらつきが生じることがなく、また、前記指針軸の取付作業も容易となる。
【０００４】
しかしながら、斯かる構成においては、前記指針軸との接触個所が部分的であるために保持力が弱く、また、強い圧入力にて保持しようとする場合には、圧入による応力が前記接触個所に集中して前記接触個所に亀裂が生じる恐れがあるという問題点があった。
【０００５】
本発明はこの点に鑑みてなされたもので、指針軸を安定した保持力にて保持し、また、前記指針軸が配設される連結部に亀裂が生じることを防止することが可能な計器用指針及びその取付方法を提供することを目的とする。
【０００６】
【課題を解決するための手段】
本発明は、前記目的を達成するために、計器本体から突出する略円柱状の指針軸に連動して回動する指示部材と、前記指示部材が配設され前記指示部材を前記指針軸に装着するための台座部材と、前記台座部材に設けられ前記指針軸が配設される連結部と、を備え、前記連結部は、前記指針軸の外周面と当接して前記指針軸を保持する円周部と、前記連結部の少なくとも２個所に設けられ前記指針軸を圧入保持する内壁部と、を有してなることを特徴とする。
【０００７】
また、前記内壁部は、前記連結部における前記指針軸の配設個所を部分的に前記指針軸の外径よりも狭めるように形成されてなることを特徴とする。
【０００８】
また、前記内壁部は、断面形状が前記指針軸の外径よりも小さい内接円を有する多角形の辺の少なくとも一部からなることを特徴とする。
【０００９】
また、計器本体から突出する略円柱状の指針軸に連動して回動する指示部材と、前記指示部材が配設され前記指示部材を前記指針軸に装着するための台座部材と、前記台座部材に設けられ前記指針軸が配設される連結部と、を備えてなる計器用指針の取付方法であって、断面形状が前記指針軸の軸径に合うように形成される円周部と、前記円周部を部分的に前記指針軸の外径よりも狭く形成してなる内壁部とを前記連結部に備え、前記指針軸を前記連結部に配設して前記指針軸の前記外周面と前記円周部とを当接させて前記指針軸を前記円周部にて保持させるとともに、前記指針軸を前記内壁部にて圧入保持させることを特徴とする。
【００１０】
また、前記内壁部を、断面形状が前記指針軸の外径よりも小さい内接円を有する多角形の辺の少なくとも一部からなるように形成することを特徴とする。
【００１１】
【発明の実施の形態】
以下、本発明の実施形態を添付図面に基づき説明する。
【００１２】
図１において、計器用指針Ａは指示部材１と、指針キャップ２と、指示部材１の背後に配置される台座部材３とから構成されている。
【００１３】
計器用指針Ａが適応される計器においては、図２に示すように、表示板４に、計器用指針Ａの指示部材１と対比して計測量を表示するための目盛、文字などの指標部４ａが文字抜き印刷などの方法で形成される。
【００１４】
また、図３に示すように、表示板４の背後にＬＥＤからある照明光源５が回路基板６上に配置され、照明光源５から発せられる光によって表示板４の背後から指標部４ａと計器用指針Ａの指示部材１が照明され、夜間等の暗い場所においても使用者が計測値を視認できるようにしている。
【００１５】
指示部材１は、ＰＣ（ポリカーボネート）あるいはＰＣ／ＡＢＳ（アクリルニトリルブタヂエンスチレン）等の合成樹脂材料からなり、計器本体７から突出する略円柱状の指針軸Ｒと連動し、計測量に応じて計器本体７の駆動により軸回り回動して表示板４に設けられた指標部４ａを指示するもので、基部１ａと指示部１ｂとが一体成形により形成されている。基部１ａは、台座部材３上に配設固定されるもので、照明光源５からの光を指示部１２に反射させる反射面１ｃを有する。指示部１ｂは、基部１ａから一方向に延設されるもので、下側の面にはホットスタンプ等の方法により所定の有色材料からなる着色層１ｄが印刷されている。
【００１６】
指針キャップ２は、弾性を有する非透光性の合成樹脂材料からなり、指示部材１を台座部材３上に配設固定するものである。指針キャップ２は、指示部材１の上部表面を露出させるために切り欠いたスリット（図示しない）と、計器用指針Ａの回転中心付近が重心となるように重量バランスを調整するためのおもり８を収納する収納部２ａとを備える。
【００１７】
台座部材３は、ＰＣ等の合成樹脂材料からなり、指示部材１を配設し、指示部材１と指針軸Ｒとを連結するものである。台座部材３は、指示部材１の基部１ａが連結される台座部３ａと、指示部材１の反射面１ｃに照明光源５からの光を導く受光部３ｂと、指示部材１を適正な位置に支持する受部３ｃを有する差込部３ｄと、指針キャップ２の収納部２ａに対応するカバー部３ｅとを備える。また、台座部材３には、台座部３ａの中心部から背面に突出し指針軸Ｒを取り付けることで指示部材１を指針軸Ｒに連結するための連結部９が設けられている。
【００１８】
連結部９は、図４（ａ）に示すように、指針軸Ｒと当接する円周部９ａと指針軸Ｒを圧入保持する内壁部９ｂとによって孔部９ｃを形成している。円周部９ａは、指針軸Ｒと当接するように形成されるもので、断面形状が、指針軸Ｒの外径よりも小さく、かつ、極力指針軸Ｒの外径と同一径とする円Ｂの円周の一部からなり、指針軸Ｒの外周面に対応した形状となっている。内壁部９ｂは、円周部９ａの３個所に設けられ指針軸Ｒを圧入保持するべく円周部９ａを部分的に指針軸Ｒの外径よりも狭めるように形成されるもので、断面形状が、指針軸Ｒの前記外径よりも小さい円Ｃが内接する正三角形Ｄの辺の一部からなる。従って、内壁部９ｂにより、指針軸Ｒを配設する孔部９ｃは部分的に指針軸Ｒの外径よりも狭く形成されることとなる。尚、内壁部９ｂは、指針軸Ｒを圧入保持するものであれば良く、例えば断面形状が指針軸Ｒの外径よりも小さい内接円を有する五角形の辺の一部からなる構成であってもよい。また、内壁部９ｂは、連結部９の少なくとも２個所に設けられる構成であれば良い。
【００１９】
指針軸Ｒが連結部９の孔部９ｃに挿入されると、図４（ｂ）に示すように、内壁部９ｂは孔部９ｃを部分的に指針軸Ｒの前記外径よりも狭めている構成であるために、指針軸Ｒを連結部９に挿入することで内壁部９ｂは指針軸Ｒの前記外周面の形状に沿って変形する。また、円周部９ａは、断面形状が指針軸Ｒの前記外径と略同一の径となる円Ｂの円周の一部からなる構成であるために、指針軸Ｒを孔部９ｃに挿入すると円周部９ａは指針軸Ｒの外周面と当接する。従って指針軸Ｒは、内壁部９ｂによって強い圧入力にて圧入保持されるとともに、円周部９ａが当接することによっても保持されることとなる。
【００２０】
斯かる計器用指針Ａは、指示部材１と指針軸Ｒとを連結する台座部材３に指針軸Ｒを配設する連結部９を設け、連結部９に、指針軸Ｒの前記外周面と当接する円周部９ａと、指針軸Ｒを圧入保持する内壁部９ｂと、を備える。すなわち、断面形状が指針軸Ｒの軸径に合うように形成される円周部９ａと、円周部９ａを部分的に指針軸Ｒの外径よりも狭く形成してなる内壁部９ｂとを連結部９に備え、指針軸Ｒを連結部９に配設して指針軸Ｒの前記外周面と円周部９ａとを当接させるとともに、指針軸Ｒを内壁部９ｂにて圧入保持させることにより、指針軸Ｒを圧入保持による安定した保持力にて保持することが可能となり、また、指針軸Ｒと円周部９ａが当接することにより、連結部９にかかる応力を円周部９ａに分散させることで指針軸Ｒを圧入保持する内壁部９ｂに集中することを防止でき、連結部９に亀裂が生じる恐れがない。
【００２１】
また、内壁部９ｂを、連結部９の孔部９ｃのを部分的に指針軸Ｒの外径よりも狭めるように形成することにより、強い圧入力にて指針軸Ｒを圧入保持することが可能となる。
【００２２】
また、内壁部９ｂの断面形状を、指針軸Ｒの外径よりも小さい円Ｃが内接する正三角形Ｄの辺の一部によって構成することにより、連結部９において指針軸Ｒを圧入保持する個所を略均等な間隔にて形成することが可能となる。
【００２３】
【発明の効果】
本発明は、例えば車両用計器に用いられる計器用指針及びその取付方法に関し、指針軸を安定した保持力にて保持し、また、前記指針軸が配設される連結部に亀裂が生じることを防止することが可能となる。
【図面の簡単な説明】
【図１】本発明の実施の形態である計器用指針の断面図。
【図２】前記計器用指針が配設される計器を示す斜視図。
【図３】前記計器用指針が配設される計器を示す断面図。
【図４】前記計器用指針の連結部を示す断面図。
【符号の説明】
Ａ    計器用指針
１    指示部材
２    指針キャップ
３    台座部材
９    連結部
９ａ  円周部
９ｂ  内壁部
Ｒ    指針軸
【図１】
0003589351.tif 000002
【図２】
0003589351.tif 000003
【図３】
0003589351.tif 000004
【図４】
0003589351.tif 000005